(57)【要約】【課題】拳銃の収納動作また拳銃の引抜き動作を容易に行うことができる。【解決手段】本体１０と、回動軸３０を介して本体１０に設けられて本体１０に対して回動可能に構成される回動部２０と、回動部２０を本体１０に対して閉じる方向に付勢する付勢部５０と、を備え、回動部２０を回動させて開状態とし、拳銃８０を拳銃用ホルスター１内に進入させて拳銃を回動させると、付勢部５０によって付勢されて回動部２０が閉じる方向に回動して閉状態となって、拳銃８０を収納した状態とし、拳銃８０が収納された状態で回動部材２０を開く方向に回動させて開状態として、拳銃８０を引抜くと、付勢部５０によって付勢されて回動部２０が閉じる方向に回動して閉状態とする、拳銃用ホルスター１とする。【選択図】図１
2020122617.tif 000002
【特許請求の範囲】
【請求項１】
拳銃を収納した状態で保持して携帯可能とする拳銃用ホルスターであって、
本体と、
回動軸を介して前記本体に設けられて前記本体に対して回動可能に構成される回動部と、
前記回動部を前記本体に対して閉じる方向に付勢する付勢部と、を備え、
前記本体と前記回動部との内側の空間で前記拳銃が収納される空間が形成されるものであり、
前記回動部を回動させて開状態とし、前記拳銃を前記拳銃用ホルスター内に進入させて拳銃を回動させると、前記付勢部によって付勢されて前記回動部が閉じる方向に回動して閉状態となって、前記拳銃を収納した状態とし、
前記拳銃を収納した状態で前記回動部材を開く方向に回動させて開状態として、前記拳銃を引抜くと、前記付勢部によって付勢されて前記回動部が閉じる方向に回動して閉状態とする、
拳銃用ホルスター。
【請求項２】
前記本体は、前記本体内に配置される押え部を備え、
前記付勢部は、弾性変形可能な板バネであり、前記付勢部の一方部は前記回動部の内面に固定され、前記付勢部の他方部は前記本体の押え部に当接し、前記回動部が開く方向に回動すると弾性変形して前記回動部を閉じる方向へ付勢する付勢力を生じさせる、
請求項１に記載の拳銃用ホルスター。
【請求項３】
前記当接部は、前記回動部の閉状態において前記拳銃に当接して前記拳銃用ホルスターから前記拳銃を引抜けない状態とする当接部を備える、
請求項１または請求項２に記載の拳銃用ホルスター。
【請求項４】
前記前記拳銃用ホルスターに収納された前記拳銃に当接して、前記回動部が閉状態から開く方向に回動することを防止するストッパを備える、
請求項１から請求項３のいずれか一項に記載の拳銃用ホルスター。
【発明の詳細な説明】
【技術分野】
【０００１】
本発明は、拳銃を収納した状態で保持する拳銃用ホルスターの技術に関する。
【背景技術】
【０００２】
従来、拳銃を収納した状態で保持する拳銃用ホルスターに関する技術は種々知られている（特許文献１参照）。
前記拳銃用ホルスターには、拳銃を収納する本体と、本体に回動可能に設けられるカバーと、を備えるものがある。前記拳銃用ホルスターは、本体に拳銃を収納した状態でカバーを回動させて拳銃の一部を覆うように配置することによって拳銃を保持する。このように、前記拳銃用ホルスターでは、カバーで拳銃の一部を覆って保持することで、本体に収納された拳銃が第三者によって容易に引抜かれないようにしている。
【先行技術文献】
【特許文献】
【０００３】
【特許文献１】特開２０１１−１５３７７０号公報
【発明の概要】
【発明が解決しようとする課題】
【０００４】
しかしながら、特に緊急の際には、拳銃を拳銃用ホルスターに収納する動作また拳銃を拳銃用ホルスターから引抜く動作をよりスムーズに行えることが望ましい。
もっとも、前記拳銃用ホルスターでは、拳銃を収納するときまたは拳銃を引抜くとき、カバーを回動させることを要し、拳銃の収納する動作また拳銃を引抜く動作をスムーズに行うことができなかった。
【０００５】
本発明は以上の如き状況に鑑みてなされたものであり、拳銃の収納動作また拳銃の引抜く動作をスムーズに行うことができる拳銃用ホルスターを提供することを課題とする。
【課題を解決するための手段】
【０００６】
本発明の解決しようとする課題は以上の如くであり、次にこの課題を解決するための手段を説明する。
【０００７】
即ち、請求項１においては、拳銃を収納した状態で保持して携帯可能とする拳銃用ホルスターであって、本体と、回動軸を介して前記本体に設けられて前記本体に対して回動可能に構成される回動部と、前記回動部を前記本体に対して閉じる方向に付勢する付勢部と、を備え、前記本体と前記回動部との内側の空間で前記拳銃が収納される空間が形成されるものであり、前記回動部を回動させて開状態とし、前記拳銃を前記拳銃用ホルスター内に進入させて拳銃を回動させると、前記付勢部によって付勢されて前記回動部が閉じる方向に回動して閉状態となって、前記拳銃を収納した状態とし、前記拳銃を収納した状態で前記回動部材を開く方向に回動させて開状態として、前記拳銃を引抜くと、前記付勢部によって付勢されて前記回動部が閉じる方向に回動して閉状態とするものである。
【０００８】
請求項２においては、前記本体は、前記本体内に配置される押え部を備え、前記付勢部は、弾性変形可能な板バネであり、前記付勢部の一方部は前記回動部の内面に固定され、前記付勢部の他方部は前記本体の押え部に当接し、前記回動部が開く方向に回動すると弾性変形して前記回動部を閉じる方向へ付勢する付勢力を生じさせるものである。
【０００９】
請求項３においては、前記当接部は、前記回動部の閉状態において前記拳銃に当接して前記拳銃用ホルスターから前記拳銃を引抜けない状態とする当接部を備えるものである。
【００１０】
請求項４においては、前記前記拳銃用ホルスターに収納された前記拳銃に当接して、前記回動部が閉状態から開く方向に回動することを防止するストッパを備えるものである。
【発明の効果】
【００１１】
本発明の効果として、以下に示すような効果を奏する。
即ち、本発明によれば、拳銃の収納動作また拳銃の引抜き動作を容易に行うことができる。
【図面の簡単な説明】
【００１２】
【図１】本発明の実施形態に係る拳銃用ホルスターを示す斜視図。
【図２】同じく拳銃用ホルスターを示す正面図。
【図３】同じく拳銃用ホルスターを示す背面図。
【図４】同じく拳銃用ホルスターを示す平面図。
【図５】同じく拳銃用ホルスターを示す底面図。
【図６】同じく拳銃用ホルスターを示す左側面図。
【図７】同じく拳銃用ホルスターを示す右側面図。
【図８】同じく拳銃用ホルスターを示す断面図。
【図９】同じく拳銃用ホルスターを示す拡大断面図。
【図１０】同じく拳銃用ホルスターを示す分解斜視図。
【図１１】同じく拳銃用ホルスターの回動部の閉状態を示す右側面図。
【図１２】同じく拳銃用ホルスターの回動部の開状態を示す右側面図。
【図１３】同じく拳銃用ホルスターのストッパを規制位置とした状態を示す平面視図。
【図１４】同じく拳銃用ホルスターのストッパを規制位置とした状態を示す右側面。
【図１５】同じく拳銃用ホルスターのストッパを規制位置から解消した状態を示す平面視図。
【図１６】同じく拳銃用ホルスターのストッパを規制位置から解消した状態を示す右側面。
【図１７】同じく拳銃用ホルスターの規制位置とした状態を示す正面図。
【図１８】同じく拳銃用ホルスターの規制位置とした状態を示す右側面。
【図１９】同じく拳銃用ホルスターの規制位置とした状態を示す断面図。
【図２０】同じく拳銃用ホルスターの規制位置を解消した状態を示す右側面。
【図２１】同じく拳銃用ホルスターの規制位置を解消した状態を示す断面図。
【発明を実施するための形態】
【００１３】
次に、本発明の実施形態に係る拳銃用ホルスター１について、図１から図２１を用いて説明する。
【００１４】
拳銃用ホルスター（以下において「ホルスター」と称する）１は、拳銃８０を内部に収納して携帯するものであり、使用者の衣服や身体（例えば、使用者の右側の腰部、右足太腿部、左脇部等）に取付けられる。図１から図１２に示すように、ホルスター１は、上部に開口部２を有し、内部に拳銃８０が収納される収納空間３が形成される。ホルスター１は、本体１０と、回動部２０と、回動軸３０と、取付具４０と、付勢部５０と、を備える。
【００１５】
ホルスター１の本体１０は、布地や革よりも比較的剛性の高い素材、例えば、合成樹脂素材で構成される。本体１０は、板状の部材であって、前板部から左板部と右板部とが後方に突出するように形成され、上方、下方、及び後方が開放するように構成される。本体１０は、平面視で略Ｃ字状に構成される。本体１０の上下方向の長さは、拳銃８０の銃身８２よりも若干長く構成される。本体１０の下部は上部に比べて若干左右幅が狭く構成され、本体１０の前部は後部に比べて若干左右幅が広く構成される。
また、本体１０の下部の内側には底部１１と押え部１３とが設けられる。本体１０の底部１１は、平板状の部材であり、本体１０の下端よりも若干上方に配置される。本体１０の底部１１は、前記本体１０の幅が狭く構成される前部に配置される。本体１０の押え部１３は、平板状の部材であり、本体１０内において、前記本体１０の幅が狭く構成される前部に配置される。本体１０の押え部１３は、底部１１の上方に所定の空間が形成されるように底部１１の若干上方に配置される。
【００１６】
ホルスター１の回動部２０は、布地や革よりも比較的剛性の高い素材、例えば、合成樹脂素材で構成される。回動部２０は、回動軸３０を介して本体１０に設けられて、本体１０に対して回動可能に構成される。回動部２０は、板状の部材であって、後板部から左板部と右板部とが前方に突出するように形成され、上方、下方、及び前方が開放するように構成される。回動部２０は、その後板部が上端から下方に行くに従って前方に湾曲して構成され、側面視で上部の前後幅よりも下部の前後幅の方が短く構成される。
また、回動部２０の下部の内側には底部２１が設けられる。回動部２０の底部２１は、回動部２０の下端よりも若干上方に配置される。
【００１７】
ホルスター１の回動部２０の左右の側板部の前部は、本体１０の左右の側板部の後部の内側に配置される。
本体１０及び回動部２０のそれぞれの左右の側板部には、それぞれ貫通孔が形成され、本体１０及び回動部２０のそれぞれの左板部の貫通孔に左方の回動軸３０が挿入され、本体１０及び回動部２０のそれぞれの右板部の貫通孔に右方の回動軸３０が挿入されて、回動部２０は本体１０に対して回動可能に構成される。
【００１８】
ホルスター１の回動部２０が、本体１０に対して閉状態のときから後下方に回動するときに、開く方向に回動する。回動部２０が、本体１０に対して全開状態のときから前上方に回動するときに、閉じる方向に回動する。
回動部２０は、閉状態のときには本体１０に対して回動角度θ＝０°の位置で回動した状態として設定される。回動部２０は、閉状態のときに、その底部２１の下面が本体１０の底部２１の上面に当接することによって、閉じる方向への回動が規制される。
回動部２０は、全開状態のときには本体１０に対して回動角度θ＝１０°の位置で回動した状態として設定される。回動部２０は、全開状態のときに、その左板部および右板部の前部が本体１０の底部１１の後端に当接することによって、開く方向への回動が規制される。
なお、回動部２０の閉状態または全開状態のときの回動角度については、仕様に応じて適宜任意の値に設定することもできる。
【００１９】
ホルスター１の回動軸３０（本体１０及び回動部２０の貫通孔）は、本体１０の後下部であって底部１１よりも上方に配置される。
取付具４０は、使用者の衣服等に装着するときに用いられるものであり、板状の部材が取付けピン等を介して本体１０の左板部の外側面に設けられる。取付具４０は、このような構成に限定されず、仕様に応じて適宜構成することもできる。
【００２０】
このように構成されるホルスター１では、上方が開口し、内部に所定の空間が形成される。前記上方の開口は、開口部２として構成され、前記内部の所定の空間は、収納空間３として構成される。
【００２１】
ここで、ホルスター１に収納される拳銃８０について説明する。
拳銃８０は、回転式拳銃であり、グリップ８１、銃身８２、銃口８３、トリガー８４、トリガーガード８５、撃鉄８６、及び弾倉８７等を備え、射撃時に引金を引いて撃鉄８６を動作させると、弾倉８７が回転するように構成される（図８、図１１、または図１２参照）。
なお、拳銃８０は、このような構成に限らず、自動式拳銃やその他の仕様のものであってもよいものとする。また、拳銃８０は、弾丸を発射可能に構成されて殺傷能力を有するものの他に、モデルガンや拳銃型の小道具等も含まれるものとする。
【００２２】
ホルスター１では、回動部２０の閉状態のときに拳銃８０が収納空間３内に収納された状態で、拳銃８０を保持した状態とされる。このとき、ホルスター１の開口部２からグリップ８１が上方に突出し、また他の部分はホルスター１の収納空間３内に配置される。またこのとき、ホルスター１の本体１０及び回動部２０の内側の面（収納空間３内の面）に拳銃８０の一部（トリガーガード８５や銃身８２等）が当接した状態とされる。
【００２３】
また、本体１０は、左右一対の当接部１２・１２を備える。
本体１０の当接部１２は、回動部２０の閉状態において拳銃８０に当接してホルスター１から拳銃８０を引抜けない状態とする。
本体１０の当接部１２は、平板状の部材であり、本体１０の上部の内側に設けられる。本体１０の当接部１２は、本体１０の上端（開口部２）よりも若干下方に配置される。本体１０の当接部１２は、前記本体１０の幅が狭く構成される前部近傍の両側板から内側に突出する。
本体１０の当接部１２は、回動部２０の閉状態において拳銃８０の弾倉８７の上端に当接部１２の下面が当接することによって、ホルスター１から拳銃８０を引抜けないように構成される。
なお、本体１０の当接部１２は、このような構成に限らず、回動部２０の閉状態において拳銃８０の他の部分（例えば、拳銃８０の銃身８２の後端部）に当接することによって、ホルスター１から拳銃８０を引抜けないように構成することもできる。また例えば、拳銃８０が自動式拳銃である場合には、回動部２０の閉状態において排莢口部分やスライダの後部に当接することによって、ホルスター１から拳銃８０を引抜けないように構成することもできる。
【００２４】
付勢部５０は、回動部２０を本体１０に対して閉じる方向に付勢する。
付勢部５０は、弾性変形可能な金属素材で構成される板状の部材（板バネ）であって、上方と前方とに突出する側面視略Ｌ字状に構成される。
付勢部５０は、回動軸３０の近傍に配置される。付勢部５０の後部（一方部）は、回動部２０の下部の後板部の内面に固定される。付勢部５０の下部（他方部）の前端部（先端部）は、回動部２０の前端よりも前方に突出し、本体１０の底部１１と押え部１３との間に配置される。付勢部５０は、その下部の前端部の上面が本体１０の押え部１３の下面に当接するように配置される。
付勢部５０は、回動部２０が開く方向に回動するとその下部が弾性変形して回動部２０を閉じる方向へ付勢する付勢力を生じさせる。付勢部５０は、ホルスター１の回動部２０が閉状態において、使用者が拳銃８０のグリップ８１を把持した状態で後方に拳銃８０を傾けたときにホルスター１の回動部２０が開く方向に回動し、また、ホルスター１の回動部２０が開状態において、使用者が拳銃８０のグリップ８１を離したときに、回動部２０が閉じる方向に回動して閉状態となるように、回動部２０を付勢する。
なお、付勢部５０は、このような構成であることに限定せず、平板状の部材であって、後部が回動部２０の下部の後板部の内面に固定され、前部が前方に突出するように構成することもできる。
【００２５】
次に、拳銃８０をホルスター１の収納空間３に収納する動作について説明する。
ホルスター１の開口部２を介して収納空間３内に、銃口８３側から拳銃８０を挿入していき収納状態とされる。
拳銃８０が収納されていない状態では、ホルスター１の回動部２０は付勢部５０に付勢されて閉状態となっている。このような状態で、拳銃８０のグリップ８１を把持して銃口８３を下方に向け、銃身８２の下部等を回動部２０の上端に当接させて、拳銃８０を若干後方に傾けた状態とする。そして、拳銃８０によって後下方に押込むようにして回動させて回動部２０を開状態とする。
次に、拳銃８０を下方に移動させて、ホルスター１内に拳銃８０を進入させる。このとき、拳銃８０の下部（トリガーガード８５等）を回動部２０内で当接させる。
次に、拳銃８０を前方に回動させると、付勢部５０によって付勢されて回動部２０が閉じる方向に回動して閉状態となる。このとき、拳銃８０の弾倉８７の上端に本体１０部の当接部１２の下面が当接して、ホルスター１から拳銃８０を引抜けない状態となっている。
このようにして、ホルスター１では拳銃８０を収納空間３に収納する。
【００２６】
次に、ホルスター１から拳銃８０を引抜く動作について説明する。
ホルスター１に収納された拳銃８０のグリップ８１を把持して拳銃８０を後下方に傾斜させて、閉状態の回動部２０を開く方向に回動させて開状態として、拳銃８０の弾倉８７の上端に本体１０部の当接部１２の下面が当接した状態を解消させる。
次に、拳銃８０を上方（後上方）に引上げることによって、ホルスター１から拳銃８０が引抜かれる。ホルスター１から拳銃８０が引抜かれると、付勢部５０によって付勢されて回動部２０が閉じる方向に回動して閉状態となる。
このようにして、ホルスター１では拳銃８０が引抜かれる。
【００２７】
このように、ホルスター１では、回動部２０を回動させて開状態とし、拳銃８０をホルスター１内に進入させて拳銃８０を前方に回動させると、付勢部５０によって付勢されて回動部２０が閉じる方向に回動して閉状態となって、拳銃８０を収納した状態とする。また、ホルスター１では、収納された拳銃８０によって回動部２０を開く方向に回動させて開状態として、ホルスター１から拳銃８０を引抜く。したがって、拳銃８０の収納動作また拳銃８０の引抜き動作をスムーズに行うことができる。
また、ホルスター１では、拳銃８０を引抜いた後、付勢部５０によって付勢されて回動部２０が閉じる方向に回動して自動で閉状態となることから、回動部２０を開状態から閉状態とする手間が不要となる。
【００２８】
このように、ホルスター１では、付勢部５０は、弾性変形可能な板バネであり、付勢部５０の一方部は回動部２０の内面に固定され、付勢部５０の他方部は本体１０の押え部１３に当接し、回動部２０が開く方向に回動すると弾性変形して回動部２０を閉じる方向へ付勢する付勢力を生じさせる。したがって、拳銃８０の収納動作また拳銃８０の引抜き動作を容易に行うことができ、また、回動部２０を開状態から閉状態とする手間が不要となるものを簡易な構成で実現することができる。
【００２９】
このように、ホルスター１では、本体１０の当接部１２は、回動部２０の閉状態において拳銃８０に当接してホルスター１から拳銃８０を引抜けない状態とする。したがって、拳銃８０が収納された状態を確実に保持することができる。
また、本体１０の当接部１２は、平板状の部材であり、本体１０の幅が狭く構成される前部近傍の両側板から内側に突出することから、当接部１２によって拳銃８０が収納された状態を確実に保持することができるものを簡易な構成で実現することができる。
【００３０】
また、図１３から図１６に示すように、ホルスター１は、ストッパ６０を備える構成とすることもできる。
このように構成されるとき、本体１０は、案内部１５を備える。
本体１０の案内部１５は、本体１０の左側板の上部を貫通するに形成され、左右方向を長手方向とするように切欠かれて構成される。本体１０の案内部１５は、ホルスター１に収納されたときの拳銃８０の弾倉８７の外側に配置される。
【００３１】
ストッパ６０は、ホルスター１に収納された拳銃８０の弾倉８７の左後面（拳銃８０の一部）に当接して、回動部２０が閉状態から開く方向に回動すること（開状態となること）を防止する。
ストッパ６０は、当接部６１と、連結部６２と、操作部６３と、を備え、使用者が操作部６３を操作（例えば、親指で操作）することによって、本体１０の案内部１５に沿って（左右方向に）スライド可能に構成される。ストッパ６０の当接部６１と操作部６３とは、連結部６２を介して連結される。当接部６１は本体１０の内側に配置され、連結部６２は本体１０の案内部１５内に配置され、操作部６３は本体１０の外側に配置される。
【００３２】
ストッパ６０の操作部６３は、使用者によって操作される部分であり、本体１０の左側板から左方に突出するように構成され、ホルスター１に収納された拳銃８０のグリップ８１を使用者が把持した状態で右手の親指で操作可能な位置に配置される。
ストッパ６０の連結部６２は、ストッパ６０がスライドするときに、本体１０の案内部１５に当接して摺動する。
ストッパ６０の当接部６１は、回動部２０が閉状態から開く方向に回動すること（開状態となること）を防止するときに、拳銃８０の弾倉８７の外面に当接する。ストッパ６０の当接部６１は、その突出側端面（拳銃８０の弾倉８７側の面）が拳銃８０の弾倉８７の外面形状と一致するように形成される。
【００３３】
ストッパ６０は、左方にスライドさせて当接部６１（当接部６１の突出側端面）を拳銃８０の弾倉８７に当接させた状態とすることによって、回動部２０が閉状態から開く方向に回動することを防止する規制位置とされる（図１３及び図１４参照）。
また、ストッパ６０は、規制位置から右方にスライドさせることによって、当接部６１を拳銃８０の弾倉８７に当接させた状態を解消させて、回動部２０が閉状態から開く方向に回動可能する（図１５及び図１６参照）。
【００３４】
このように、ホルスター１では、ストッパ６０が、ホルスター１に収納された拳銃８０に当接して、回動部２０が閉状態から開く方向に回動することを防止することから、拳銃８０が収納された状態をより確実に保持することができる。
なお、ストッパ６０（ストッパ６０の当接部６１）は、回動部２０が閉状態から開く方向に回動することを防止するときに、ホルスター１に収納された拳銃８０の弾倉８７に当接する構成に限定されず、拳銃８０の他の部分（例えば、トリガーガード８５）に当接して、回動部２０が閉状態から開く方向に回動することを防止する構成とすることもできる。
【００３５】
次に、ホルスター１がストッパ６０を備える構成以外の回動部２０が閉状態から開く方向に回動することを防止する構成について説明する。
図１７から図２１に示すように、ホルスター１は、操作部６５と、当接部６６と、を備える。
【００３６】
操作部６５は、使用者によって操作される部分である。操作部６５は、上下方向を長手方向とする平板状の部材であり、左方の回動軸３０に固定して設けられる。操作部６５は、本体１０の左方外側において左方の回動軸３０から上方に突出するように構成される。
当接部６６は、回動部２０が閉状態から開く方向に回動すること（開状態となること）を防止するときに、本体１０の押え部１３の上面に当接する。当接部６６は、本体１０の内側において回動軸３０に固定して設けられる。当接部６６は、平板状の部材であり、回転軸３０から前方に突出する。
このように、操作部６５と当接部６６とは回動軸３０を介して連結されて、操作部６５を前方または後方に回動させると、回動軸３０が重回動して当接部６６が回動する。
【００３７】
操作部６５を前方に回動させて、当接部６６（当接部６６の突出側下端部）を本体１０の押え部１３の上面に当接させた状態とすることによって、回動部２０が閉状態から開く方向に回動することを防止する規制位置とされる（図１７から図１９参照）。
また、操作部６５を後方に回動させて当接部６６を回動させることによって、当接部６６を本体１０の押え部１３の上面に当接させた状態を解消させて、回動部２０が閉状態から開く方向に回動可能する（図２０及び図２１参照）。
【符号の説明】
【００３８】
１    ホルスター
２    開口部
３    収納空間
１０  本体
１２  当接部
１３  押え部
１５  案内部
２０  回動部
３０  回動軸
４０  取付部
５０  付勢部材
６０  ストッパ
６１  当接部
６２  連結部
６３  操作部
６５  操作部
６６  当接部
【図１】
2020122617.tif 000003
【図２】
2020122617.tif 000004
【図３】
2020122617.tif 000005
【図４】
2020122617.tif 000006
【図５】
2020122617.tif 000007
【図６】
2020122617.tif 000008
【図７】
2020122617.tif 000009
【図８】
2020122617.tif 000010
【図９】
2020122617.tif 000011
【図１０】
2020122617.tif 000012
【図１１】
2020122617.tif 000013
【図１２】
2020122617.tif 000014
【図１３】
2020122617.tif 000015
【図１４】
2020122617.tif 000016
【図１５】
2020122617.tif 000017
【図１６】
2020122617.tif 000018
【図１７】
2020122617.tif 000019
【図１８】
2020122617.tif 000020
【図１９】
2020122617.tif 000021
【図２０】
2020122617.tif 000022
【図２１】
2020122617.tif 000023